(57)【要約】【課題】高い濾過流量を維持したまま、流体を分離精製する方法の提供。【解決手段】有価物を含む流体の分離精製方法であって、前記分離精製方法が、原液タンク内の前記有価物を含む流体を濾過する工程を含む方法であり、前記有価物を含む流体が、前記濾過工程の濾過処理により20℃、せん断速度25ｓ-1における粘度が30ｍＰａ・ｓ以下になるものであり、前記濾過工程が、前記原液タンク内の有価物を内径0.8〜1.4mmの中空糸膜を使用した限外濾過膜モジュールに供給して濾過する方法であり、前記濾過方法が、クロスフロー方式により濾過圧力0.08〜0.2MPa、線速0.7〜1.4ｍ／ｓの条件で濾過する方法であり、濾過後の精製液を精製液ラインから原液タンクに戻し、透過液を排水ラインから排水する、有価物を含む流体を分離精製する方法。【選択図】なし【特許請求の範囲】
【請求項１】
有価物を含む流体の分離精製方法であって、
前記分離精製方法が、原液タンク内の前記有価物を含む流体を濾過する工程を含む方法であり、
前記有価物を含む流体が、前記濾過工程の濾過処理において２０℃、せん断速度２５ｓ-1における粘度が３０ｍＰａ・ｓ以下になるものであり、
前記濾過工程が、前記原液タンク内の有価物を含む流体を内径０．８〜１．４ｍｍの中空糸膜を使用した限外濾過膜モジュールに供給して濾過する方法であり、
前記濾過方法が、クロスフロー方式により濾過圧力０．０８〜０．２ＭＰａ、線速０．７〜１．４ｍ／ｓの条件で濾過する方法であり、
濾過後の精製液を精製液ラインから原液タンクに戻し、透過液を排水ラインから排水する、有価物を含む流体を分離精製する方法。
【請求項２】
前記濾過工程が洗浄工程を含む工程であり、
前記洗浄工程が、濾過工程を停止して定期的に実施する逆圧洗浄工程であり、逆圧洗浄水として電気伝導度が３００μＳ／ｃｍ以下の水を使用し、洗浄排水を前記原液タンクに戻す工程であり、
前記濾過工程と前記洗浄工程の組み合わせを１サイクルとして、これを複数サイクル繰り返す、請求項１に記載の有価物を含む流体を分離精製する方法。
【請求項３】
前記濾過工程において、前記原液タンクに精製液を戻した後、前記原液タンク中に電気伝導度が１０μＳ／ｃｍ以下の水を入れて希釈することで、前記濾過工程の濾過処理において有価物を含む流体の２０℃、せん断速度２５ｓ-1における粘度が３０ｍＰａ・ｓ以下になるように調整する工程を含んでいる、請求項１または２記載の流体を分離精製する方法。
【請求項４】
前記有価物を含む流体の温度を上げることで、濾過工程における前記流体の２０℃、せん断速度２５ｓ-1の粘度が３０ｍＰａ・ｓ以下になるように調整する、請求項１〜３のいずれか１項に記載の流体を分離精製する方法。
【請求項５】
前記濾過工程において、濾過開始前の前記有価物を含む流体を希釈して、２０℃、せん断速度２５ｓ-1における粘度が５ｍＰａ・ｓ以下になるように調整する、請求項１〜４のいずれか１項記載の流体を分離精製する方法。
【請求項６】
前記濾過工程が３０〜６０分間濾過運転を実施する工程であり、前記洗浄工程が１〜２分間逆圧洗浄する工程である、請求項１〜５のいずれか１項に記載の流体を分離精製する方法。
【請求項７】
限外濾過膜モジュールが、濾過膜としてポリエーテルスルホンからなる中空糸膜を使用しているものである、請求項１〜６のいずれか１項に記載の流体を分離精製する方法。
【請求項８】
前記有価物を含む流体が、電気活性高分子溶液、顔料分散液、水溶性高分子溶液、塗料、インク、化粧品、果汁から選ばれるものである、請求項１〜７のいずれか１項に記載の流体を分離精製する方法。
【発明の詳細な説明】
【技術分野】
【０００１】
本発明は、有価物を含む流体を中空糸型分離膜により分離精製する方法に関する。
【背景技術】
【０００２】
電気活性高分子溶液、顔料分散液、水溶性高分子溶液、塗料、インク、化粧品、または果汁などの液体は、濃度が高く（または温度が低く）なってくると、チキソトロピー性によって流体粘度が上昇する場合があり、このような高粘度状態となってからも継続して不純物を分離精製する方法が求められている。
【０００３】
特許文献１には、ろ過対象物をろ過する方法であって、前記ろ過対象物は、チキソトロピー性を有し、粘度が０．１Ｐａ・ｓ〜３０Ｐａ・ｓ（１００〜３０，０００ｍＰａ・ｓ）であり且つ粒子を含み、前記ろ過対象物の一部をフィルターに通し、当該フィルターの孔径よりも径の大きい粒子が除去されたろ過物を得ると共に、前記ろ過対象物の残りによって前記フィルターの表面に流れを発生させることを特徴とするろ過方法が開示されている。
【０００４】
特許文献２には、金属ナノ粒子を含む液体から金属ナノ粒子を分離する分離方法であって、前記金属ナノ粒子が、金属および金属化合物からなる平均粒子径が１〜３００ｎｍの範囲のものであり、前記分離方法が、濾過工程と洗浄工程を含む方法であり、前記濾過工程が、原液タンク内の金属ナノ粒子を含む液体を限外濾過膜モジュールに供給して濾過するとき、クロスフロー方式により濾過圧力５０ｋＰａ以下で濾過して、金属ナノ粒子を含む精製液は原液タンクに戻し、透過液は排水する工程であり、前記洗浄工程が、濾過工程を中断して定期的に実施する逆圧洗浄工程であり、逆圧洗浄水として電気伝導度が３００μＳ／ｃｍ以下の水を使用し、洗浄排水を前記原液タンクに戻す工程であり、前記濾過工程と前記洗浄工程の組み合わせを１サイクルとして、これを複数サイクル繰り返す、金属ナノ粒子の分離方法が開示されている。
【先行技術文献】
【特許文献】
【０００５】
【特許文献１】特開２０１２−１７０９０１号公報
【特許文献２】特開２０１５−００６６４６号公報
【発明の概要】
【発明が解決しようとする課題】
【０００６】
本発明は、高粘度状態となってからも継続して高い濾過流量を維持したまま、流体を分離精製する方法を提供することを課題とする。
【課題を解決するための手段】
【０００７】
本発明は、課題の解決手段として、
有価物を含む流体の分離精製方法であって、
前記分離精製方法が、原液タンク内の前記有価物を含む流体を濾過する工程を含む方法であり、
前記有価物を含む流体が、前記濾過工程の濾過処理により２０℃、せん断速度２５ｓ-1における粘度が３０ｍＰａ・ｓ以下になるものであり、
前記濾過工程が、前記原液タンク内の有価物を内径０．８〜１．４ｍｍの中空糸膜を使用した限外濾過膜モジュールに供給して濾過する方法であり、
前記濾過方法が、クロスフロー方式により濾過圧力０．０８〜０．２ＭＰａ、線速０．７〜１．４ｍ／ｓの条件で濾過する方法であり、
濾過後の精製液を精製液ラインから原液タンクに戻し、透過液を排水ラインから排水する、有価物を含む流体を分離精製する方法を提供する。
【発明の効果】
【０００８】
本発明の有価物を含む流体を分離精製する方法によれば、分離精製の過程での流体粘度が高粘度状態であっても、高い濾過流量を維持したまま、流体から不純物を除去して、純度を高めることができる。
【図面の簡単な説明】
【０００９】
【図１】本発明の流体を分離精製する方法を実施するためのフロー図。
【図２】実施例１において有価物を含む流体を濾過するときの流体中の有価物の濃度と流体の温度、流体の粘度、せん断速度の関係を示したグラフ。
【図３】参考試験例の濾過圧力を一定で、線速を変動させた際の濾過流量をプロットしたグラフ。
【発明を実施するための形態】
【００１０】
本発明の分離精製方法は、有価物を含む流体から不純物（目的の化合物の合成工程で副生する塩類やイオン分などの不純物など）を濾過工程により分離することで、有価物の純度を高めるための分離方法である。
以下、本発明の分離精製方法を図１の分離精製方法のフロー図により説明する。
【００１１】
原液タンク１には、原液ライン１０から供給された原液となる有価物を含む流体（以下、単に「流体」という）が入っている。原液タンク１には、撹拌装置を付設することができる。
原液タンク１内の原液は、濾過流量を高いレベルで維持し、不純物を除去し易くするため、濾過運転の開始前において希釈することができる。
このときに使用する希釈水は、電気伝導度が１０μＳ／ｃｍ以下の純水が好ましく、１μＳ／ｃｍ以下の純水がより好ましい。
原液タンク１内の流体を希釈するときは、濾過工程における粘度上昇を考慮すると、２０℃、せん断速度２５ｓ-1での粘度が３０ｍＰａ・ｓ未満となるように希釈することが好ましく、より好ましくは１０ｍＰａ・ｓ以下、さらに好ましくは５ｍＰａ・ｓ以下に希釈する。
【００１２】
本発明の分離精製対象となる流体は、前記濾過工程の濾過処理により２０℃、せん断速度２５ｓ−１における粘度が３０ｍＰａ・ｓ以下になるものであれば特に制限されるものではなく、前記粘度は１０〜３０ｍＰａ・ｓが好ましい。
濾過工程の濾過処理により２０℃、せん断速度２５ｓ-1における粘度が３０ｍＰａ・ｓを超える場合には、中空糸膜を使用した限外濾過膜モジュールで濾過することが困難になる。
【００１３】
本発明の分離精製対象となる流体は、化合物（無機化合物、有機化合物）、天然物、それらの混合物からなる有価物を含有しているものであり、有価物は、高分子量のもの、水に溶解していない分散粒子である。
前記流体としては、電気活性高分子溶液（導電性ポリマーなどを含む溶液）、顔料分散液、水溶性高分子溶液（ポリフェノール、コンドロイチン、ゼラチンなどの天然高分子、またはポリビニルアルコールなどの合成高分子を含む溶液）、塗料、インク、化粧品、果汁などを挙げることができる。
【００１４】
原液タンク１内の原液（有価物を含む流体）は、原液送水ライン１１から中空糸膜を使用した限外濾過膜モジュール２に供給して濾過分離される。ライン１１にはポンプ２１が設置されている。
【００１５】
濾過膜（分離膜）は、本発明の濾過運転や逆圧洗浄が容易であることから、中空糸膜であり、中空糸膜は、内圧型、外圧型のいずれでも使用できるが、適切な膜面線速の確保や、逆圧洗浄の容易性の面から内圧型が好ましい。
中空糸膜の内径は、０．８〜１．４ｍｍであり、０．９〜１．３ｍｍが好ましい。
中空糸膜の内径が、０．８ｍｍ未満の場合は、高粘度状態（流体の粘度が３０ｍＰａ・ｓを超える場合）における濾過流量確保が困難になり、中空糸膜の内径が、１．４ｍｍを上回る場合には、限外濾過膜モジュール内の有効濾過面積が減るため単位面積当たりの濾過流量が低下することで、精製目的を満足できない場合がある。
中空糸膜の分画分子量は、精製目的に合わせ決定されるが、濾過膜の分画分子量3,000〜300,000のものが挙げられ、さらには6,000〜200,000のものが挙げられる。
限外濾過膜モジュール２で使用する濾過膜（分離膜）は公知の材質からなるものを使用できるが、ポリスルホン、ポリエーテルスルホン、ポリアクリロニトリルなどを挙げることができ、ポリエーテルスルホンが好ましい。
【００１６】
濾過は、クロスフロー方式により濾過圧力０．０８〜０．２ＭＰａ、線速０．７〜１．４ｍ／ｓの条件で濾過する。
濾過圧力は、好ましくは０．１０〜０．１８ＭＰａであり、線速は、好ましくは０．８〜１．２ｍ／ｓである。
濾過圧力が０．０８ＭＰａ未満の場合は、高粘度状態における線速確保が困難になり、線速が確保できなければ益々濾過流量の確保ができなくなる。
濾過圧力が０．２ＭＰａを上回る場合でも、電気消費量の割に濾過流量は上昇せず、エネルギー効率が落ちる。
線速が０．７ｍ／ｓ未満の場合は、高粘度状態においては流体粘度が高いため濾過流量の確保が困難となり、線速が１．４ｍ／ｓを上回った場合でも、流体粘度が極端に低下するわけではないので濾過流量が大幅には上昇せず、エネルギー効率が落ちる。
【００１７】
濾過後、目的の有価物を含む精製液（濃縮液）は、精製液ライン１２から原液タンク１に戻し、不純物を含む透過液は透過液ライン１３、１４から透過液タンク３に送った後、排水する。なお、透過液ライン１３と透過液ライン１４との分岐部分には開閉弁（電磁弁など）を設けることができる。
濾過工程は３０〜６０分間の間隔で実施することが好ましい。
【００１８】
濾過工程において２０℃、せん断速度２５ｓ-1での流体粘度が３０ｍＰａ・ｓを上回ると、濾過流量の確保が困難になる。その場合は、原液送水ライン１１または限外濾過膜モジュール２に設けた加温装置により流体温度を上げることによって流体粘度を下げ、２０℃、せん断速度２５ｓ-1で測定した場合における流体粘度が３０ｍＰａ・ｓ未満になるようにすることが好ましい。
【００１９】
本発明の分離精製方法は、洗浄工程を含むことが好ましい。
洗浄工程は、所定時間だけ濾過工程を実施した後、濾過工程を中断して、逆圧洗浄を実施することが好ましい。
逆圧洗浄は、ポンプ２２を駆動させ、逆圧洗浄水タンク４内の水を逆圧洗浄ライン（一部を透過液ライン１３と共用している）１３から限外濾過膜モジュール２に供給して実施する。
逆圧洗浄は１〜２分間実施する。
逆圧洗浄時の圧力は、濾過圧力（最大で０．２ＭＰａ）よりも高い圧力であり、０．１〜０．２２ＭＰａであることが好ましく、０．１２〜０．２ＭＰａであることがより好ましい。
逆圧洗浄水タンク４の水（逆圧洗浄水）は、洗浄水（純水）供給ライン１５から供給された電気伝導度が３００μＳ／ｃｍ以下の水であり、好ましくは１０μＳ／ｃｍ以下の水であり、より好ましくは１μＳ／ｃｍ以下の水である。
逆圧洗浄後の排水（逆圧洗浄排水）は、限外濾過膜モジュール２の膜面に付着していた微量の有価物を含んでおり、原液送水ライン１１の一部と、逆圧洗浄排水ライン１５から原液タンク１に戻す。
このようにして微量の有価物を含む逆圧洗浄排水を原液タンク１に戻すことによって、有価物の回収率が高められるほか、原液濃度（原液粘度）を低下させることができるので好ましい。
なお、原液送水ライン１１と逆圧洗浄排水ライン１５との分岐部分には開閉弁（電磁弁など）を設けることができる。
【００２０】
本発明の分離精製方法では、濾過工程と洗浄工程の組み合わせを１サイクルとして、これを複数サイクル繰り返すことが好ましい。
繰り返すサイクル数は、好ましくは２〜５サイクルであり、より好ましくは２〜４サイクルである。
【００２１】
本発明の分離精製方法では、原液タンク１に精製液を戻した後、原液タンク１中に電気伝導度が１０μＳ／ｃｍ以下の水を入れて希釈することで、濾過工程の濾過処理において有価物を含む流体の２０℃、せん断速度２５ｓ-1における粘度が３０ｍＰａ・ｓ以下、好ましくは１０ｍＰａ・ｓ以下、より好ましくは５ｍＰａ・ｓ以下になるように調整する希釈工程を含むことができる。
希釈工程は、図１には示していないが、原液タンク１と希釈液供給源を接続するラインから供給することができる。
希釈量は、例えば、排水する透過液量と同量以上を希釈することができる。
【００２２】
原液タンク１に水を入れる希釈工程と洗浄工程における洗浄排水を原液タンク１に戻す工程は、両方を組み合わせて実施することが好ましいが、いずれか一方のみを実施することもできる。
なお、洗浄工程において浄排水を原液タンク１に戻す工程を実施しないときは、前記洗浄排水はそのまま排出する。
このように原液タンク１内の原液を希釈しながら濾過運転を実施することで、限外濾過膜モジュールで使用している中空糸膜の閉塞が抑えられ、濾過流量が高いレベルで維持される。
本発明の分離精製方法は、流体粘度が高粘度状態になる過程を含む流体から目的の有価物を分離、精製する方法として適している。
【実施例】
【００２３】
実施例１
＜濾過工程＞
市販の顔料分散液（MF-5630 Black、大日精化（株）製、カーボンブラック固形分濃度３２質量％）に対して、カーボンブラックの濃度が１６．５質量％になるように純水（電気伝導度１μS/cm）で希釈した。さらに不純物として硫酸ナトリウムを０．５質量％になるように添加・溶解して未精製原液（原液）（２mPa・s）とした。
この未精製原液を、ポリエーテルスルホン素材でできた中空糸膜の内径が１．２ｍｍ、分画分子量が１万の限外濾過中空糸膜モジュール（FB03-VC-FUS15C1；ダイセン・メンブレン・システムズ（株）製）を用いて、濾過圧力０．１ＭＰａ、線速１．０ｍ／ｓ、液温度２５℃にてクロスフロー濾過を行った。このとき原液タンク内の原液は撹拌した。
このクロスフロー濾過により透過液側に硫酸ナトリウムが移行し、精製液側にカーボンブラックが移行した。
精製液は原液タンクに戻し、透過液は透過液タンクに送った。
【００２４】
＜洗浄工程＞
濾過運転を３０分継続した後、濾過運転を停止して、逆圧洗浄を１分間実施した。逆圧洗浄に使用した逆圧洗浄水は電気伝導度１μS/cmであった。逆圧洗浄排水の全量を原液タンクに戻した。
【００２５】
上記の濾過工程と洗浄工程の組み合わせを１サイクルとして繰り返し行いながら、未精製原液を対液量比で２倍まで濃縮を実施した。その後、精製液に純水（電気伝導度１μS/cm）を希釈倍率が２倍となるように加えた。
希釈後、上記の濾過工程と洗浄工程の組み合わせのサイクルを繰り返し行うことで、加水量と同量を濾過処理し、再度加水する操作を合計２回繰り返した。
未精製原液の濾過時の平均濾過流量は７ｇ／分、１回目の加水後の濾過時の平均濾過流量は１５ｇ／分、２回目の加水後の濾過時の平均濾過流量は１８ｇ／分であった。
未精製原液の電気伝導度は３１００μS/cmであり、全操作後のカーボンブラックを含む最終精製液の電気伝導度は１４００μS/cmであった。
この結果から、高い濾過流量を維持したまま、不純物（硫酸ナトリウム）が除去され、カーボンブラックの純度が高められたことが確認された。
また、最終精製液を英弘精機（株）製のコーンプレート型粘度計ＤＶ２Ｔを用いて、２０℃における、せん断速度２５ｓ-1での粘度を測定したところ、１８ｍＰａ・ｓであり、流体粘度が高粘度状態になる過程を含んでいることを確認した。最終精製液の温度が１０℃、３０℃の粘度測定結果を併せ、図２に示した。
図２は、顔料分散液中のカーボンブラック濃度と顔料分散液の違いとせん断速度（横軸）と粘度（縦軸）との関係を示すグラフである。
図２中、
３０は、濃度１０質量％、温度１０℃、
３１は、濃度１０質量％、温度２０℃、
３２は、濃度１０質量％、温度３０℃、
３３は、濃度２０質量％、温度２０℃、
３４は、濃度２０質量％、温度３０℃、
３５は、濃度３２質量％、温度１０℃、
３６は、濃度３２質量％、温度２０℃、
３０は、濃度３２質量％、温度３０℃を示す。
【００２６】
比較例１
実施例１と同じ未精製原液を用いて、濾過工程において、濾過圧力を０．７５ＭＰａ、線速を０．６ｍ／ｓにてクロスフロー濾過を行った以外は、実施例１と同様の方法でカーボンブラックの分離精製を行った。
未精製原液の濃縮時の平均濾過流量は２ｇ／分、１回目の加水後の濃縮時の平均濾過流量は５ｇ／分、２回目の加水後の濃縮時の平均濾過流量は８ｇ／分であり、実施例１と比較して実質的な処理効率が得られなかった。
【００２７】
参考試験例
実施例１と同じ未精製原液を純水（電気伝導度１μS/cm）で２倍希釈した液体を用いて、実施例１の濾過工程に記載の濾過方法で、濾過圧力を０．０３、０．０５、０．０７５、０．１、０．１３ＭＰａの５点にそれぞれ固定し、線速を変動させた際の濾過流量をプロットしたグラフを図３に示す。
図３の結果より、実施例１の未精製原液を２倍希釈した場合でも、濾過圧力が０．０８ＭＰａ未満の場合、線速を上げても、濾過流量は上昇しないことが分かった。
【産業上の利用可能性】
【００２８】
本発明の有価物を含む流体を分離精製する方法は、電気活性高分子溶液（導電性ポリマーなどを含む溶液）、顔料分散液、水溶性高分子溶液（ポリフェノール、コンドロイチン、ゼラチンなどの天然高分子、または変性ポリビニルアルコールなどの合成高分子を含む溶液）、塗料、インク、化粧品、果汁などから不純物を除去して精製する方法に利用することができる。
【符号の説明】
【００２９】
１  原液タンク
２  限外濾過膜モジュール
３  透過液タンク
４  逆圧洗浄水タンク
１０  原液ライン
１１  原液送水ライン
１２  精製液ライン
１３  透過液ライン
１５  逆圧洗浄排水ライン
【図１】
2020146645.tif 000002
【図２】
2020146645.tif 000003
【図３】
2020146645.tif 000004